(57)【特許請求の範囲】
【請求項１】
画像を投射する投射部と、
タッチセンサを備え前記投射部により投射される前記画像を表示する表示部と、
前記タッチセンサにより前記表示部に表示された前記画像の少なくとも一部に対する接触が検出された場合に、接触された領域に表示されている前記画像を認識不可能な状態に変化させた編集画像を生成する画像処理部と、
前記投射部により前記編集画像を投射する投射制御部と、
前記タッチセンサにより接触が検出された領域に表示されている画像を、聴衆に見せることを意図しない秘匿画像として記憶する秘匿画像記憶部と、
前記秘匿画像記憶部に記憶されている前記秘匿画像と前記投射部により投射される前記画像とを照合する照合部と、
前記照合部における照合により前記画像に前記秘匿画像が含まれる場合には前記表示部に警告を表示する警告表示手段と
を備えることを特徴とするプロジェクタ。
【請求項２】
前記タッチセンサにより所定時間以上の接触が検出された領域について前記編集画像を生成することを特徴とする請求項１記載のプロジェクタ。
【請求項３】
前記投射部により画像を投射しているときに、該画像の少なくとも一部を秘匿する指示が行なわれたか否かを判別する判別部を備え、
前記判別部により前記画像の少なくとも一部を秘匿する指示が行なわれたと判別した場合、前記画像処理部は、前記タッチセンサにより接触を検出した領域に表示されている前記画像を認識不可能な状態に変化させた前記編集画像を生成し、
前記投射部は、生成された前記編集画像を投射することを特徴とする請求項１または請求項２に記載のプロジェクタ。
【請求項４】
前記画像に前記秘匿画像が含まれる場合には前記秘匿画像を含む前記画像と前記警告を前記表示部に表示し、前記投射部は前記秘匿画像を含む前記画像の１つ前に投射していた前記画像を継続して投射することを特徴とする請求項１〜３の何れか一項に記載のプロジェクタ。
【請求項５】
前記秘匿画像を含む前記画像が前記表示部に表示された場合に、ユーザの選択により前記表示部に表示された前記画像を前記投射部により投射することを特徴とする請求項１〜４の何れか一項に記載のプロジェクタ。
【請求項６】
前記秘匿画像を含む前記画像が前記表示部に表示された場合に、ユーザの選択により前記表示部に表示された前記画像を投射せず、次に投射すべき他の前記画像を前記表示部に表示し、前記投射部により投射することを特徴とする請求項１〜４の何れか一項に記載のプロジェクタ。
【発明の詳細な説明】
【技術分野】
【０００１】
本発明は、プロジェクタに関するものである。
【背景技術】
【０００２】
プライベートな画像が投射されないようにするプロジェクタが知られている（例えば、特許文献１参照）。このプロジェクタにおいては、プレゼンテーション用の画像とプライベートな画像を画像の明るさ、コントラストにより判断し、プライベートな画像の場合には画像を白黒化してサムネイル表示し、その後に選択された場合にのみ投射する処理が行われる。
【特許文献１】特開２００６−３３９５号公報
【発明の開示】
【発明が解決しようとする課題】
【０００３】
しかしながら、このプロジェクタにおいてはプライベートな画像であっても白黒化したサムネイル表示によりスクリーンに投射されるため、スクリーンを見ている聴衆にプライベートな画像が認識される虞がある。また、誤ってプライベートな画像が投射された場合等にスクリーンに投射されている画像を認識不可能にすることができない。
【０００４】
本発明の目的は、聴衆に見せることを意図しない秘匿画像を含む画像が聴衆に認識されないようにするプロジェクタを提供することである。
【課題を解決するための手段】
【０００５】
本発明のプロジェクタは、画像を投射する投射部と、タッチセンサを備え前記投射部により投射される前記画像を表示する表示部と、前記タッチセンサにより前記表示部に表示された前記画像の少なくとも一部に対する接触が検出された場合に、接触された領域に表示されている前記画像を認識不可能な状態に変化させた編集画像を生成する画像処理部と、前記投射部により前記編集画像を投射する投射制御部と、前記タッチセンサにより接触が検出された領域に表示されている画像を、聴衆に見せることを意図しない秘匿画像として記憶する秘匿画像記憶部と、前記秘匿画像記憶部に記憶されている前記秘匿画像と前記投射部により投射される前記画像とを照合する照合部と、前記照合部における照合により前記画像に前記秘匿画像が含まれる場合には前記表示部に警告を表示する警告表示手段とを備えることを特徴とする。
【発明の効果】
【０００６】
本発明のプロジェクタによれば聴衆に見せることを意図しない画像を聴衆に認識されないようにすることができる。
【発明を実施するための最良の形態】
【０００７】
以下、図面を参照して本発明の実施の形態に係るプロジェクタについて説明する。図１は、実施の形態に係るプロジェクタの外観を示す図である。プロジェクタ２の前面には電源のオン、オフを行う電源スイッチ４、画像の投射を行う再生ボタン６、画像の投射の停止を行う停止ボタン８、投射する画像を次の画像に切り換える切換ボタン９、投射される画像を表示する表示部１０、表示部１０に積層して配置された透明電極により構成されるタッチセンサ１２が備えられ、プロジェクタ２の上面には画像を投射する投射窓１４が備えられている。
【０００８】
図２は実施の形態に係るプロジェクタのシステム構成を示すブロック図である。プロジェクタ２はＣＰＵ１６を備え、ＣＰＵ１６には表示部１０の表示制御を行うモニタ表示制御部１８、タッチセンサ１２、電源スイッチ４、再生ボタン６、停止ボタン８、切換ボタン９を備える操作部２０、画像を投射する投射光学系を備える投射部２２、投射する画像に変化または補正を施す画像処理部２４、投射する画像の画像データを記憶する投射画像記憶部２６、秘匿画像のデータを記憶する秘匿画像記憶部２８が接続されている。
【０００９】
ここで、投射部２２は、光源であるＬＥＤ（発光ダイオード）３０の点灯及び消灯を行う電源制御部３２、投射する画像を表示するＬＣＯＳ（反射型液晶素子）３４、ＬＣＯＳ３４の表示制御を行う投射制御部３６を備えている。
【００１０】
次に、図３に示すフローチャートを参照して、プロジェクタ２の処理について説明する。電源スイッチ４が操作されプロジェクタ２の電源が投入され、再生ボタン６が押下された場合には、投射画像記憶部２６に記憶されている画像の中の１つ目の画像の画像データを読み出す（ステップＳ１）。また、切換ボタン９が押下され投射する画像を切り換える場合には、投射画像記憶部２６に記憶されている画像の中の次の画像の画像データを読み出す。次に、読み出した画像と秘匿画像記憶部２８に記憶されている画像とを照合し、読み出した画像に秘匿画像が含まれているか否かを判定する（ステップＳ２）。ここで、秘匿画像記憶部２８には秘匿画像として、特定の文字、特定の形状、特定の人物の顔等が記憶されている。例えば、聴衆に見せることを意図しない画像には「秘」、「Ｃｏｎｆｉｄｅｎｔｉａｌ」、社名、社章等の特定の文字、特定の形状が含まれていることが多いことから、秘匿画像としてこれらの文字や形状を秘匿画像記憶部２８に記憶させる。なお、これらの秘匿画像はユーザが秘匿画像記憶部２８に記憶させてもよいし、プリセットで秘匿画像記憶部２８に記憶させておいてもよい。
【００１１】
読み出した画像に秘匿画像が含まれていると判定した場合には、秘匿画像が含まれる旨の警告と共に読み出した画像を表示部１０に表示する（ステップＳ３）。ここで、秘匿画像が含まれる旨の警告は表示部１０の全体または一部の点滅、秘匿画像であることを示す文字または図形の表示部１０における表示等により行う。このとき、ステップＳ１において画像を読み出す前に別の画像を投射していた場合には、当該別の画像の投射が継続された状態となっている。例えば、図４に示すように文字「ＡＢＣ」を含む画像３８を投射している状態において、投射する画像を文字「ＡＢＣ」を含む画像３８から文字「ＤＥＦ」を含む画像４０に切り換える場合に、画像４０には「秘」という秘匿画像が含まれるため、表示部１０に画像４０を表示し、投射部２２において画像４０を読み出す１つ前に読み出して投射していた画像３８をＬＣＯＳ３４に表示し投射を継続する。
【００１２】
ここで、表示部１０を確認したユーザにより表示部１０に表示されている画像を投射しないとして切換ボタン９が押下された場合には（ステップＳ４）、読み出した画像を投射せずにステップＳ１に戻り他の画像を投射画像記憶部２６から読み出す。一方、再生ボタン６が押下され（ステップＳ４）、表示部１０に表示されている画像の投射が指示された場合には、ユーザにより表示部１０に表示されている画像全体を投射する指示が行われたか、一部を秘匿して投射するか指示が行われたかの判別を行う（ステップＳ５）。ここで再度再生ボタン６が押下され画像全体を投射する指示が行われた場合には表示部１０に表示されている画像をそのままＬＣＯＳ３４に表示し投射部２２により投射する（ステップＳ９）。例えば、図５に示すように秘匿画像「秘」を含む画像４０をそのままＬＣＯＳ３４に表示し投射部２２により投射する。なお、画像４０から秘匿画像「秘」を除くことにより秘匿画像「秘」は投射せずに画像のみを投射してもよい。
【００１３】
一方、表示部１０に表示される画像において秘匿すべき画像をユーザが指等で接触することにより、画像の一部を秘匿して投射することを指示した場合には、タッチセンサ１２により接触された領域が検出され、検出された領域に表示されている画像に対して画像処理部２４により聴衆に認識されないように塗りつぶす等の画像秘匿処理が行われ、編集画像が生成される（ステップＳ６）。次いで秘匿すべき画像として接触された領域に表示されている画像が秘匿画像として秘匿画像記憶部２８に記憶されているか判定する（ステップＳ７）。記憶されている場合には編集画像をＬＣＯＳ３４に表示し投射部２２により投射し（ステップＳ９）、記憶されていない場合には接触された領域を秘匿画像記憶部２８に秘匿画像として記憶し（ステップＳ８）、編集画像をＬＣＯＳ３４に表示し投射部２２により投射する（ステップＳ９）。例えば、図４に示す画像４０において文字「Ｆ」を秘匿すべき画像として秘匿する場合には、図６に示すように表示部１０において文字「Ｆ」の部分をユーザの指により接触する。接触された領域は、タッチセンサ１２により検出され、接触を検出した領域に表示されている画像に対して画像処理部２４により画像秘匿処理を施し編集画像４２を生成する。また、文字「Ｆ」が秘匿画像として秘匿画像記憶部２８に記憶されていない場合には、秘匿画像記憶部２８に記憶し、図６に示すように編集画像４２をＬＣＯＳ３４に表示し投射部２２により投射する。
【００１４】
ステップＳ２において読み出した画像に秘匿画像が含まれないと判定した場合には、読み出した画像を表示部１０に表示すると共にＬＣＯＳ３４に表示し投射部２２により投射する（ステップＳ１０）。例えば、画像４４に秘匿画像記憶部２８に記憶されている秘匿画像が含まれていない場合には、図７に示すように画像４４を表示部１０に表示すると共にＬＣＯＳ３４に表示し投射部２２により投射する。次に、ユーザにより表示及び投射した画像の一部を秘匿する指示が行われたか否かの判別が行われ（ステップＳ１１）、表示部１０に表示される画像の少なくとも一部を秘匿すべき画像としてユーザが指等で接触することにより、画像の一部を秘匿して投射することを指示した場合には、タッチセンサ１２により接触された領域が検出され、検出された領域に表示されている画像に対して画像処理部２４により聴衆に認識されないように塗りつぶす等の画像秘匿処理が行われ編集画像が生成される（ステップＳ１２）。次いで秘匿すべき画像として接触された領域を秘匿画像記憶部２８に秘匿画像として記憶し（ステップＳ１３）、編集画像をＬＣＯＳ３４に表示し投射部２２により投射する（ステップＳ９）。即ち、図７に示す画像４４において文字「１０００円」を秘匿すべき画像として秘匿する場合には、図８に示すように表示部１０において文字「１０００円」の部分をユーザが指で接触する。接触された領域は、タッチセンサ１２により検出され、接触が検出された領域に表示されている画像に対して画像処理部２４により画像秘匿処理を施し編集画像４６を生成する。また、文字「１０００円」を秘匿画像として秘匿画像記憶部２８に記憶し、図８に示すように編集画像４６をＬＣＯＳ３４に表示し投射部２２により投射する。
【００１５】
本実施の形態によれば聴衆に見せることを意図しない画像を聴衆に認識されないようにすることができ、また、投射される画像の一部のみを秘匿したい場合に秘匿したい部分のみを秘匿して投射することができる。
【００１６】
なお、本実施の形態における画像秘匿処理においては、接触された領域の画像を塗りつぶす処理を例に説明したが、タッチセンサ１２により接触が検知された領域についてモザイクをかける、色成分を減少させる、色成分をなくす、コントラストを下げる、画像解像度を下げる等の処理を行ってもよい。また、本実施の形態において投射される画像は静止画であっても動画であってもよい。
【００１７】
また、本実施の形態においては、表示部１０に表示された画像においてタッチセンサ１２により検出された領域に表示されている画像に対して画像秘匿処理を施す構成としたが、誤作動防止のため表示部１０に表示された画像上の一定の位置に所定時間以上指等が接触していることをタッチセンサ１２により検出された場合に画像秘匿処理を実施する構成としてもよい。
【００１８】
また、本実施の形態において、表示部１０に表示された画像において秘匿すべき画像をユーザが指で接触する構成を例に説明したが、タッチペン等を用いて接触してもよい。
【００１９】
また、上述の実施の形態ではステップＳ２において読み出した画像が秘匿画像記憶部２８に記憶されている秘匿画像を含む場合にはステップＳ３において投射しないようにしたが、画像に含まれる秘匿画像によって秘匿の度合いを変更して投射し、秘匿画像が含まれる旨の警告と共に読み出した画像を表示部１０に表示するようにしてもよい。例えば、「秘」、「Ｃｏｎｆｉｄｅｎｔｉａｌ」の文字が含まれている場合には画像全体を秘匿するように処理し、特定の人物の顔が含まれている場合には顔のみにモザイクやぼかしを施して秘匿画像を含む画像を投射する。また、投射する画像に含まれる秘匿画像の内容、種類によってモザイクの濃さやぼかしの程度を変更して投射してもよい。
【００２０】
また、指等が表示部１０に接触した状態で動いた場合には指等が表示部１０上で動くことにより描く軌跡を秘匿すべき画像として画像秘匿処理を行ってもよい。例えば、図７に示すように画像４４を投射している状態で図９の表示部１０の上方に示す矢印のように指を表示部１０上で動かすと、指が動くことにより描く軌跡はタッチセンサ１２により検出され、該軌跡に表示されている画像に対して画像処理部２４により画像秘匿処理を施し編集画像４８を生成し、図９に示すように編集画像４８をＬＣＯＳ３４に表示し投射部２２により投射する。
【００２１】
また、図１０に示すように画像秘匿マーク５０を用いて画像秘匿処理を実施するようにしてもよい。表示部１０上に表示された画像秘匿マーク５０に接触した指等の動きがタッチセンサ１２により検出され、その動きに伴って画像秘匿マーク５０を移動させる。また、表示部１０に接触した指を回転させる等の所定の動作をタッチセンサ１２により検出し、画像秘匿マーク５０の拡大縮小及び形状を変更することが可能に構成し、秘匿すべき画像上に適当な大きさ及び形状の画像秘匿マーク５０を表示することにより画像秘匿処理を実施するようにしてもよい。
【図面の簡単な説明】
【００２２】
【図１】本発明の実施の形態に係るプロジェクタの外観を示す図である。
【図２】本発明の実施の形態に係るプロジェクタのシステム構成を示すブロック図である。
【図３】本発明の実施の形態に係るプロジェクタの処理を示すフローチャートである。
【図４】本発明の実施の形態に係るプロジェクタから投射される画像を示す図である。
【図５】本発明の実施の形態に係るプロジェクタから投射される画像を示す図である。
【図６】本発明の実施の形態に係るプロジェクタから投射される画像を示す図である。
【図７】本発明の実施の形態に係るプロジェクタから投射される画像を示す図である。
【図８】本発明の実施の形態に係るプロジェクタから投射される画像を示す図である。
【図９】本発明の実施の形態に係るプロジェクタから投射される画像を示す図である。
【図１０】本発明の実施の形態に係る画像秘匿マークを示す図である。
【符号の説明】
【００２３】
２…プロジェクタ、１０…表示部、１２…タッチセンサ、１４…投影窓、１６…ＣＰＵ、２２…投射部、２４…画像処理部、２８…秘匿画像記憶部、３０…ＬＥＤ、３４…ＬＣＯＳ。
【図１】
0005444638.tif 000002
【図２】
0005444638.tif 000003
【図３】
0005444638.tif 000004
【図４】
0005444638.tif 000005
【図５】
0005444638.tif 000006
【図６】
0005444638.tif 000007
【図７】
0005444638.tif 000008
【図８】
0005444638.tif 000009
【図９】
0005444638.tif 000010
【図１０】
0005444638.tif 000011